(57)【特許請求の範囲】
【請求項１】
カード搬送路にて情報記憶カードをその搬送方向と直交する幅方向にばね手段をもって押圧付勢する押圧部材と、該押圧部材と一体結合されたアクセスヘッドと、前記押圧部材及び前記アクセスヘッドの支持部を備え且つ該支持部が前記情報記憶カードの搬送方向と直交する幅方向に移動可能なるように当該リーダライタ本体に支持されたベース部材とを有し、前記カード搬送路に前記情報記憶カードを搬送しつつその情報記憶部にアクセスヘッドをもってアクセスして情報の授受を行うためのリーダライタのカード幅寄せ構造であって、
前記押圧部材及び前記アクセスヘッドは、前記情報記憶カードの主面と平行な平面内で傾動可能なるように前記ベース部材に支持されていることを特徴とするリーダライタのカード幅寄せ構造。
【発明の詳細な説明】
【０００１】
【発明の属する技術分野】
本発明は、情報記憶力ードのリーダライタに於けるカード幅寄せ構造に関するものである。
【０００２】
【従来の技術】
従来から、カード搬送路に情報記憶カードを搬送しつつ、カードに設けられた磁気ストライプやバーコード、ホログラムなどからなる情報記憶部にアクセスヘッドをもってアクセスして情報の授受を行うためのリーダライタに於て、上記ヘッドをカードのデータトラック上に確実に走査させるためにカードの幅寄せ構造が設けられている。これは実際にはヘッドの位置をカードの一側縁の基準面に摺接させるべくこれと相反する側縁側から付勢するものである。
【０００３】
一方、従来の幅寄せ構造では上記付勢力やカードの搬送力などによってはカードが基準面から離れてしまうことから、付勢用のばねの荷重管理等が厄介であった。
【０００４】
そこで、本願と同一出願人により、特願平８−１２６５０５号（特開平９−２８８７１９号）明細書にて、カード搬送路にてカードをその搬送方向と直交する幅方向に押圧するべくばね付勢された押圧部材とカードへのアクセスヘッドとを一体化することが提案されている。
【０００５】
この構造によれば、カードと押圧部材とは常に接触していることからカードの情報記憶部とアクセスヘッドとの位置合わせが確実、かつ容易になる。
【０００６】
【発明が解決しようとする課題】
しかしながら、実際の機器では、カード搬送路の幅とカードの幅とには寸法公差が生じるため、カード搬送路の幅寸法公差が最小であり、カードの幅寸法公差が最大である場合にカードがカードガイド幅間を通過できるように設定するため、例えばカード搬送路幅寸法公差が最大であり、カードの幅寸法公差が最小の場合にはカード搬送路をカードがその主面と平行な面内で傾いたまま走行することがあり、上記構造によってもカードの情報記憶部がアクセスヘッドを斜めに通過することとなり、読み出し／書き込みエラーの原因となり得る。
【０００７】
本発明は上記したような従来技術の問題点に鑑みなされたものであり、その主な目的は、簡単な構造をもって組み立て時やメンテナンス時の位置合わせやばねの荷重管理を簡便化すると共にカードの搬送を阻害することなくカードへのアクセスヘッドの位置合わせ及び方向合わせを確実に行い得るリーダライタのカード幅寄せ構造を提供することにある。
【０００８】
【課題を解決するための手段】
上述した目的は本発明によれば、カード搬送路１ａにて情報記憶カードＣをその搬送方向と直交する幅方向にばね手段２０をもって押圧付勢する押圧部材１６と、該押圧部材と一体結合されたアクセスヘッド２と、前記押圧部材及び前記アクセスヘッドの支持部を備え且つ該支持部が前記情報記憶カードの搬送方向と直交する幅方向に移動可能なるように当該リーダライタ本体（ケーシング１）に支持されたベース部材１８ｂとを有し、前記カード搬送路に前記情報記憶カードを搬送しつつその情報記憶部にアクセスヘッドをもってアクセスして情報の授受を行うためのリーダライタのカード幅寄せ構造であって、前記押圧部材及び前記アクセスヘッドは、前記情報記憶カードの主面と平行な平面内で傾動可能なるように前記ベース部材に支持されていることを特徴とするリーダライタのカード幅寄せ構造を提供することにより達成される。
【０００９】
【発明の実施の形態】
以下に、本発明の好適な実施形態について添付の図面を参照して詳しく説明する。
【００１０】
図１（ａ）〜図１（ｃ）、図２（ａ）及び図２（ｂ）に本発明が適用されたリーダライタの要部構造を示す。リーダライタ本体のケーシング１内には図１（ａ）に於ける右から左、又は左から右に、磁気ストライプやバーコード、ホログラムなどからなる情報記憶部がその主面に設けられた情報記憶カードＣを搬送するためのカード搬送路１ａが画定されている。また、カード搬送路１ａの中間部には後記する可動部材１８ａと一体をなすアクセスヘッド２が該搬送路を臨むように設けられている。アクセスヘッド２と対向する位置には、ヘッドローラ３が回転自在に軸支されている。ヘッドローラ３を軸支する軸部材４は、ケーシング１に支持されると共に図示されないモータにより駆動されるようになっている。更に軸部材４の先端には搬送ローラ５が設けられ、更にこの搬送ローラ５と対向する位置には板ばね７によりカード搬送路１ａに向けて付勢されたプレッシャローラ６が設けられている。カード搬送路１ａの後流側、即ち図２（ａ）の左側には、軸部材８がケーシング１に支持され、この軸部材８の先端には搬送ローラ９が設けられている。軸部材８の基端側にはプーリ１３が設けられ、同じく軸部材４の基端に設けられたプーリ１０及びベルト１１を介して上記図示されないモータにより駆動されるようになっている。搬送ローラ９と対向する位置には板ばね１５によりカード搬送路１ａに向けて付勢されたプレッシャローラ１４が設けられている。
【００１１】
一方、カード搬送路１ａの一方の側縁は精度よりも滑りを優先して形成された側面１ｂをなしている。この側面１ｂがカードを搬送する際の基準面とされる。また、カード搬送路１ａにおける他方の側縁側には、カードＣの主面と直交する方向及びカードＣの略幅方向について所定の範囲を傾動可能なるようにピン１７をもってケーシング１に支持されたベース部材１８ｂが設けられている。このベース部材の傾動端部には、カードＣの主面と平行な面内で傾動可能なるようにピン２２をもって可動部材１８ａが支持されている。この可動部材１８ａには、カード押圧部材１６が一体的に設けられている。ここで、上記したように可動部材１８ａはアクセスヘッド２と一体をなすことから、可動部材１８ａを介してアクセスヘッド２とカード押圧部材１６とは一体をなしている。
また、可動部材１８ａはベース部材１８ｂを介してばね１９、２０をもってアクセスヘッド２がカードＣの主面に近接する方向及びカード押圧部材１６がカードＣの一方の側縁に当接する方向に付勢されている。これにより、アクセスヘッド２がカードＣの主面に確実に当接し、またカード押圧部材１６がカードＣの一側縁に確実に当接してカードＣの情報記憶部とアクセスヘッド２とが確実に正対する。
【００１２】
実際にカードＣを搬送するには、カード押圧部材１６をカードＣの一側縁に当接させつつ搬送ローラ５とプレッシャローラ６、搬送ローラ９とプレッシャローラ１４をもって挟んで図２（ａ）の右から左、又は左から右に搬送する。
【００１３】
図３にカードＣがカード搬送路１ａを傾いて走行した状態を示す。ばね２０の付勢力によりカード押圧部材１６が傾いたカードＣの側縁に正対するように接する。このとき、アクセスヘッド２がカード押圧部材１６と一体をなすことからアクセスヘッド２がカードＣの情報記憶部に対して傾くことなく確実に正対し、アクセスヘッド２の中心と情報記憶部の中心とにずれが生じない。
【００１４】
図４にカードＣがカード搬送路１ａを側面１ｂに沿って走行した状態を示す。この場合も、ばね２０の付勢力によりカード押圧部材１６が偏った位置のカードＣの側縁に正対するように接する。このとき、アクセスヘッド２がカード押圧部材１６と一体をなすことからアクセスヘッド２がカードＣの情報記憶部に対して傾くことなく確実に正対し、アクセスヘッド２の中心と情報記憶部の中心とにずれが生じない。
【００１５】
尚、上記作用は、アクセスヘッド２及びカード押圧部材１６とベース部材１８ｂの支点としてのピン１７との距離によらず得られる。また、押圧部材１６は、カードＣの側縁に正対するように密着可能な長さであればよい。例えば、カード押圧部材１６の押圧面のカード搬送方向長さを長くすることにより、同一の荷重でばね２０を作用させた場合、カードせん断面との摩擦による押圧部材の摩耗を緩和し、または、紙などの剛性の低いカードの座屈防止の効果も得られる。更に、カード上の情報記録部とアクセスヘッドとの間にアジマス角度を生じないため、読み取り性能が低下しない。加えて、可動部材１８ａは必要以上に傾倒しないようにその傾動範囲がストッパ等により定められていることは云うまでもない。
【００１６】
図５は、上記構成の変形例を示す図であり、ケーシング１にカードＣの搬送方向と直交する方向に移動可能に支持されたベース部材２８ｂに、アクセスヘッド２及びカード押圧部材１６と一体をなす可動部材２８ａが傾動可能に支持されている。それ以外の構造は上記構成と同様である。
【００１７】
【発明の効果】
以上の説明により明らかなように、本発明によるリーダライタのカード幅寄せ構造によれば、カード搬送路にて情報記憶カードをその搬送方向と直交する幅方向に押圧するべくばね手段をもって付勢された押圧部材を有し、アクセスヘッドがこの押圧部材と一体をなし、かつカードの主面と平行な面内で傾動可能に支持されていることにより、カードの情報記憶部とアクセスヘッドとの位置合わせ及び向き合わせが確実、かつ容易になり、データ読みだし／書き込みエラーの発生を抑制することができる。
【図面の簡単な説明】
【図１】（ａ）は本発明が適用されたリーダライタの要部構造を示す平面図、（ｂ）は（ａ）のＩ−Ｉ線について見た側断面図、（ｃ）は底面図。
【図２】（ａ）は図１（ｂ）のＩＩ−ＩＩ線について見た断面図、（ｂ）は図１（ａ）のＩＩＩ−ＩＩＩ線について見た断面図。
【図３】カードがカード搬送路を傾いて走行した状態を示す概念図。
【図４】カードがカード搬送路を一側面に沿って走行した状態を示す概念図。
【図５】図１〜図４に示す実施形態の変形例を示す部分構成図。
【符号の説明】
１  ケーシング
１ａ  カード搬送路
１ｂ  カード基準面
２  アクセスヘッド
３  ヘッドローラ
４  軸部材
５  搬送ローラ
６  プレッシャローラ
７  板ばね
８  軸部材
９  搬送ローラ
１０  プーリ
１１  ベルト
１３  プーリ
１４  プレッシャローラ
１５  板ばね
１６  カード押圧部材
１７  ピン
１８ａ  可動部材
１８ｂ  ベース部材
１９、２０  ばね
２２  ピン
２８ａ  可動部材
２８ｂ  ベース部材
【図１】
0003824769.tif 000002
【図２】
0003824769.tif 000003
【図３】
0003824769.tif 000004
【図４】
0003824769.tif 000005
【図５】
0003824769.tif 000006